【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
データコーディング識別情報を獲得し、
前記データコーディング識別情報が表示するデータコーディング方式によって、データをデータデコーディングする、信号処理方法であって、
前記データコーディング方式は、パイロットコーディング方式を含み、
前記パイロットコーディング方式は、複数個のデータに対応するパイロット基準値及びパイロット差分値を用いて前記データをデコーディングする方式に対応し、
前記パイロット差分値は、前記データ及び前記パイロット基準値を用いて生成されることを特徴とする、信号処理方法。
【請求項２】
前記データコーディング方式は、ディファレンシャルコーディング方式をさらに含み、
前記ディファレンシャルコーディング方式は、周波数ディファレンシャルコーディング方式及びタイムディファレンシャルコーディング方式のうちの少なくとも一つを含み、
前記タイムディファレンシャルコーディング方式は、前方タイムディファレンシャルコーディング方式及び後方タイムディファレンシャルコーディング方式のうちの少なくとも一つを含むことを特徴とする、請求項１に記載の信号処理方法。
【請求項３】
さらにエントロピコーディング識別情報を獲得し、
前記エントロピコーディング識別情報が表すエントロピコーディング方式を用いて、前記データをエントロピデコーディングすることを特徴とする、請求項１に記載の信号処理方法。
【請求項４】
前記データのデータデコーディングは、前記エントロピデコーディングされたデータを用いて前記データコーディング方式によって実行されることを特徴とする、請求項３に記載の信号処理方法。
【請求項５】
前記エントロピデコーディング方式は、一次元コーディング方式及び多次元コーディング方式のうちの少なくとも一つを含み、
前記多次元コーディング方式は、周波数ペアコーディング方式及びタイムペアコーディング方式のうちの少なくとも一つを含むことを特徴とする、請求項３に記載の信号処理方法。
【請求項６】
さらに前記データをパラメータとして用いて、オーディオ信号をデコーディングすることを特徴とする、請求項１に記載の信号処理方法。
【請求項７】
データコーディング方式によってデータをエンコーディングし、
前記データコーディング方式を表示するデータコーディング識別情報を生成する、信号処理方法であって、
前記データコーディング方式は、パイロットコーディング方式を含み、
前記パイロットコーディング方式は、複数個のデータに対応するパイロット基準値及びパイロット差分値を用いて前記データをエンコーディングし、
前記パイロット差分値は、前記データ及び前記パイロット基準値を用いて生成されることを特徴とする、信号処理方法。
【請求項８】
データコーディング方式によってデータをエンコーディングするエンコーディング部と、
前記データコーディング方式を表示するデータコーディング識別情報を生成する出力部と、を含み、
前記データコーディング方式は、パイロットコーディング方式を含み、
前記パイロットコーディング方式は、複数個のデータに対応するパイロット基準値及びパイロット差分値を用いて前記データをエンコーディングし、
前記パイロット差分値は、前記データ及び前記パイロット基準値を用いて生成されることを特徴とする、信号処理装置。
【請求項９】
データコーディング識別情報を獲得する識別情報獲得部と、
前記データコーディング識別情報が表示するデータコーディング方式によって、データをデータデコーディングするデコーディング部と、を有し、
前記データコーディング方式は、パイロットコーディング方式を含み、
前記パイロットコーディング方式は、複数個のデータに対応するパイロット基準値及びパイロット差分値を用いて前記データをデコーディングする方式に対応し、
前記パイロット差分値は、前記データ及び前記パイロット基準値を用いて生成されることを特徴とする、信号処理装置。
【請求項１０】
前記データコーディング方式は、ディファレンシャルコーディング方式をさらに含み、
前記ディファレンシャルコーディング方式は、周波数ディファレンシャルコーディング方式及びタイムディファレンシャルコーディング方式のうちの少なくとも一つを含み、
前記タイムディファレンシャルコーディング方式は、前方タイムディファレンシャルコーディング方式及び後方タイムディファレンシャルコーディング方式のうちの少なくとも一つを含むことを特徴とする、請求項９に記載の信号処理装置。
【請求項１１】
エントロピコーディング識別情報を獲得し、
前記エントロピコーディング識別情報が表すエントロピコーディング方式を用いて、前記データをエントロピデコーディングする、エントロピデコーディング部をさらに有することを特徴とする、請求項９に記載の信号処理装置。
【請求項１２】
前記デコーディング部は、前記エントロピデコーディングされたデータを用いて前記データコーディング方式によって前記データをデコーディングすることを特徴とする、請求項１１に記載の信号処理装置。
【請求項１３】
前記エントロピデコーディング方式は、一次元コーディング方式及び多次元コーディング方式のうちの少なくとも一つを含み、
前記多次元コーディング方式は、周波数ペアコーディング方式及びタイムペアコーディング方式のうちの少なくとも一つを含むことを特徴とする、請求項１１に記載の信号処理装置。
【請求項１４】
前記データをパラメータとして用いて、オーディオ信号をデコーディングするマルチチャンネル生成部をさらに有することを特徴とする、請求項９に記載の信号処理装置。
【手続補正２】
【補正対象書類名】明細書
【補正対象項目名】００１０
【補正方法】変更
【補正の内容】
【００１０】
上記の目的を達成するための、本発明の信号処理方法は、データコーディング識別情報を獲得し、前記データコーディング識別情報が表示するデータコーディング方式によって、データをデータデコーディングする。また、前記データコーディング方式は、パイロットコーディング方式を含み、前記パイロットコーディング方式は、複数個のデータに対応するパイロット基準値及びパイロット差分値を用いて前記データをデコーディングする方式に対応し、前記パイロット差分値は、前記データ及び前記パイロット基準値を用いて生成される。
【手続補正３】
【補正対象書類名】明細書
【補正対象項目名】００１１
【補正方法】変更
【補正の内容】
【００１１】
また、前記データコーディング方式は、ディファレンシャルコーディング方式をさらに含み、ここで、前記ディファレンシャルコーディング方式は、周波数ディファレンシャルコーディング方式及びタイムディファレンシャルコーディング方式のうちの少なくとも一つを含み、前記タイムディファレンシャルコーディング方式は、前方タイムディファレンシャルコーディング方式及び後方タイムディファレンシャルコーディング方式のうちの少なくとも一つを含む。
【手続補正４】
【補正対象書類名】明細書
【補正対象項目名】００１２
【補正方法】変更
【補正の内容】
【００１２】
また、前記信号処理方法は、さらにエントロピコーディング識別情報を獲得し、前記エントロピコーディング識別情報が表すエントロピコーディング方式を用いて、前記データをエントロピデコーディングする。また、前記データデコーディングは、前記エントロピデコーディングされたデータを用いて前記データコーディング方式によって実行される。また、前記エントロピデコーディング方式は、一次元コーディング方式または及び多次元コーディング方式のうちの少なくとも一つを含み、前記多次元コーディング方式は、周波数ペアコーディング方式及びタイムペアコーディング方式のうちの少なくとも一つを含む。
【手続補正５】
【補正対象書類名】明細書
【補正対象項目名】００１３
【補正方法】変更
【補正の内容】
【００１３】
また、前記信号処理方法は、さらに前記データをパラメータとして用いて、オーディオ信号をデコーディングする。
【手続補正６】
【補正対象書類名】明細書
【補正対象項目名】００１４
【補正方法】変更
【補正の内容】
【００１４】
また、上記の目的を達成するための、本発明の信号処理装置は、データコーディング識別情報を獲得する識別情報獲得部と、前記データコーディング識別情報が表示するデータコーディング方式によって、データをデータデコーディングするデコーディング部と、を含む。また、前記データコーディング方式は、パイロットコーディング方式を含み、前記パイロットコーディング方式は、複数個のデータに対応するパイロット基準値及びパイロット差分値を用いて前記データをデコーディングする方式に対応し、前記パイロット差分値は、前記データ及び前記パイロット基準値を用いて生成される。
【手続補正７】
【補正対象書類名】明細書
【補正対象項目名】００１５
【補正方法】変更
【補正の内容】
【００１５】
また、上記の目的を達成するための、本発明の信号処理方法は、データコーディング方式によってデータをデータエンコーディングし、前記データコーディング方式を表示するデータコーディング識別情報を生成する。また、前記データコーディング方式は、パイロットコーディング方式を含み、前記パイロットコーディング方式は、複数個のデータに対応するパイロット基準値及びパイロット差分値を用いて前記データをエンコーディングし、前記パイロット差分値は、前記データ及び前記パイロット基準値を用いて生成される。
【手続補正８】
【補正対象書類名】明細書
【補正対象項目名】００１６
【補正方法】変更
【補正の内容】
【００１６】
また、上記の目的を達成するための、本発明の信号処理装置は、データコーディング方式によってデータをエンコーディングするエンコーディング部と、前記データコーディング方式を表示するデータコーディング識別情報を生成する出力部と、を含む。また、前記データコーディング方式は、パイロットコーディング方式を含み、前記パイロットコーディング方式は、複数個のデータに対応するパイロット基準値及びパイロット差分値を用いて前記データをエンコーディングし、前記パイロット差分値は、前記データ及び前記パイロット基準値を用いて生成される。